(57)【特許請求の範囲】
【請求項１】
金属の薄板からなり、リード線（５）の挿入穴（１）と、当該挿入穴（１）に続いて形成され且つ挿入穴（１）側が深くなるように曲面Ｒをなしている凹溝（２）と、当該凹溝（２）の前記挿入穴（１）とは反対側に形成された切欠部（３）と、前記リード線（５）を押さえて保持するために当該切欠部（３）を隔てて形成された突起（４）とを有する事を特徴とするリード線接続端子板。
【発明の詳細な説明】
【０００１】
【産業上の利用分野】
本発明は、主としてスピーカのボイスコイルに信号電流を供給するためのリード線を接続する入力端子の端子板の構造に関するものである。
【０００２】
【従来の技術】
スピーカに信号電流を供給する入力部分は、周知のごとく端子基板に取り付けられた端子板と、スピーカのボイスコイルとがリード線（通称錦糸線と呼称する可撓性を有する網線）で連結された構造となっている。
この様な入力部分のリード線先端部と端子板とは半田付けされるが、リード線の長さはスピーカの振動系の振動を妨げないよう、又、余計な共振を生じて雑音を発生することがないように適当な長さと形状を付与されなければならず、その半田付けは熟練と手数を必要とする作業であった。
【０００３】
従来のスピーカの入力端子に使用される端子板は、半田付け作業中、リード線と端子板との位置関係を保持しておく必要から、その構造を図５に示すように端子基板６との結合部を有する金属板からなる基体９に、リード線５を挿通して保持する挿通切欠部７と、当該挿通切欠部７から離れた位置に前記リード線５の端部を押圧保持する切起し片８が形成された構造を有する。当該端子板にリード線５を接続するには同図並びに図６にその接続部の断面を示すように、リード線５を挿通切欠部７に挿通して基体９の表面に添わせて切起し片８の方に導き、リード線５の先端部を切起し片８の裏面に挟むようにして挿通しリード線５を端子板上に保持する。次いでその状態でリード線５と基体９とを半田１０を使用して半田付けする。尚、同図並びに実施例が示されている図１には入力端子部分が取り付けられているスピーカのフレームやリード線の他端に接続されるボイスコイル等の部分は記載が省略されている。
【０００４】
【発明が解決しようとする課題】
上記の様な端子板とリード線の接続構造では基体９が平坦であるため半田ゴテの当て方がずれたりして半田が拡散してしまって安定した半田付け作業が困難であり、又、無理に曲げられたリード線５との間に隙間ができて半田付けが不完全となったり、スピーカが長時間に亘って動作した場合に切欠部７の部位のような急な屈曲部において損傷すると言う問題点があった。
【０００５】
そこで、本発明は、この様な従来のリード線接続端子板が有していた課題を解決するために、端子板の形状に工夫を加え、リード線に無理な屈曲を与える事なく端子板上の位置を安定させ、半田付け作業を完全に、且つ容易にして生産性の向上とを計ると共に、リード線の無理な屈曲を排して寿命の短縮を防ぎ、スピーカの品質を高めることを目的とするリード線接続端子板を提供しようとするものである。
【０００６】
【課題を解決するための手段】
上記目的を達成するための本発明に係るリード線接続端子板の構成を、実施例を示す図１乃至図３を用いて説明すると、本発明は、
金属の薄板からなり、リード線５の挿入穴１と、当該挿入穴１に続いて形成され且つ挿入穴１側が深くなるように曲面Ｒをなしている凹溝２と、当該凹溝２の前記挿入穴１とは反対側に形成された切欠部３と、前記リード線５を押さえて保持するために当該切欠部３を隔てて形成された突起４とを有する事を特徴とするリード線接続端子板である
【０００７】
【作用】
本発明のリード線接続端子板は、この様な構造としたものであるから、スピーカ組み立て作業に於いて、スピーカのボイスコイル（図示省略）に接続されたリード線５を下から挿入穴１に挿通し、凹溝２の凹面内を曲面Ｒに添わせて載置し、先端部を切欠部３を通して突起４の裏面に引き出し、しかる後半田付けする事で、半田ゴテの先端は凹溝２にガイドされて所定位置から外れることもなく、又、リード線５は端子板上にスピーカの機能上要求される所定の形状を保って安定に支持された状態で半田付け作業が実施される。
【０００８】
又、半田付け作業は上記凹溝２の凹面内で行われるので、半田１０はリード線５と凹溝２内面の範囲に止まり、少量の半田で均一に且つ余分な部位に拡散すること無く確実に半田付けされる。
【０００９】
更に曲面Ｒの作用でリード線５は自然な形状で曲げられ、無理な屈曲部がないのでスピーカ振動系の振動により繰り返し応力が加わっても断線するようなことはない。
【００１０】
【実施例】
以下本発明の実施例について図面に基づいて説明する。
図中、図１乃至図３は第１実施例で、図１は端子基板６にリード線接続端子板を取り付けた状態の斜視図を示し、図２は凹溝２に添った方向の側断面図であり、図３はリード線５を接続した状態の同方向の側断面図である。
【００１１】
図１、図２に於いて、リード線接続端子板の基体９は薄い金属板からなり、当該基体９にリード線５の挿入穴１が穿設され、当該挿入穴１に続いて凹溝２がリード線５引き出し方向に添って形成されている。凹溝２は挿入穴１側が深くなるように曲面Ｒをなしている。
【００１２】
次いで当該凹溝２の前記挿入穴１とは反対側に切欠部３が形成され、当該切欠部３を隔ててリード線５を押さえて保持する突起４が形成されている。この突起４は同図ではリード線の挿入が容易なように心持ち上側に曲げられているが、平坦なままであっても本発明の端子板として十分機能する。
【００１３】
本発明のリード線接続端子板へのリード線５の取り付け方は、前工程で予めリード線５を挿入穴１に挿通しておき、次ぎにリード線５を切欠部３を通して突起４に引っ掛けて引っ張ると、リード線５は凹溝２に入り込んでその位置で安定する。この状態で半田ゴテのコテ先を当てて糸半田を送り込むと、コテ先の位置が少々外れても半田が凹溝２に流れ込み安定した半田付けが可能となる。又、凹溝２の曲面Ｒの部位のリード線５がリード線接続端子板から離れる局部まで半田が流れ込み、両者の接続が完全に行われる。
【００１４】
上記実施例では端子基板６は合成樹脂の成型品であるが、図４にコストダウンを目的として端子基板６をファイバー製とした他の応用例を示す。この他の応用例に於ける端子板の突出部１１は増幅器などとの接続コードを接続する部分である。
【００１５】
その他の変形例として挿入穴１の形状は図示した半円形以外にも丸穴、角穴等いずれの形状であってもよく、従来例の挿通切欠部のように一部にリード線が通過し得る切欠部が設けられていてもよい。
【００１６】
以上、本発明の代表的と思われる実施例について説明したが、本発明は必ずしもこれらの実施例の構造に限定されるものではなく、前記した特許請求の範囲に記載の構成要件を具備し、本発明にいう作用を呈して目的を達成し、以下に述べる効果を有する限りにおいて、適宜改変して実施し得るものである。
【００１７】
【発明の効果】
上記で詳述した構造の本発明に係るリード線接続端子板は、以下に述べる効果を有する。
リード線をリード線接続端子板に接続するとき、当該リード線は凹溝の内側にスピーカの機能上要求される所定の形状を保って安定に保持される。従って半田付け作業において半田ゴテの先端は凹溝２に導かれて所定位置当接されるので容易に作業ができる。従って生産性が向上する。
【００１８】
又、半田付け作業は上記凹溝２の凹面内で行われるので、半田１０はリード線５と凹溝２内面の範囲に止まり、少量の半田で均一に且つ余分な部位に拡散すること無く確実に半田付けされる。従って高品質のスピーカを容易に生産する事ができる。
【００１９】
更に曲面Ｒの作用でリード線５は自然な形状で曲げられ、無理な屈曲部がないのでスピーカ振動系の振動により繰り返し応力が加わっても断線するようなことはない。従ってスピーカは安定に動作し、且つ長寿命となる。
【００２０】
以上のごとく、本発明のリード線接続端子板は、組み立て作業中にリード線を所定位置に保持し、半田付け作業中は半田ゴテに対する位置決め作用を呈し、更に溶融した半田が不要な部位に拡散することを防いで半田によるリード線の接続を完全な状態とすることによってスピーカの生産性を著しく高め、品質を向上させることができる上で、従来のものでは期待できない顕著な効果を有するに至ったのである。
【図面の簡単な説明】
【図１】本発明リード線接続端子板を使用したスピーカ入力端子部の実施例の斜視図。
【図２】本発明リード線接続端子板実施例の横断面図。
【図３】実施例に於いてリード線を接続した状態の横断面図。
【図４】本発明リード線接続端子板の他の応用例の斜視図。
【図５】従来例のスピーカ入力端子部の斜視図。
【図６】従来例に於いてリード線を接続した状態の横断面図。
【符号の説明】
１  挿入穴
２  凹溝
３  切欠部
４  突起
５  リード線
６  端子基板
７  従来例の挿通切欠部
８  切起し片
９  基体
１０  半田
１１  突出部
【図１】
0003584524.tif 000002
【図２】
0003584524.tif 000003
【図３】
0003584524.tif 000004
【図４】
0003584524.tif 000005
【図５】
0003584524.tif 000006
【図６】
0003584524.tif 000007